(57)【要約】【課題】可搬性に優れ、看板枠を有効に利用することが可能な電源装置、撮影装置、および、撮影システムを提供する。【解決手段】看板型電源１０は、各種の看板が着脱可能に支持される凹部１１ａを有する看板枠１１と、看板枠１１の凹部１１ａに対して、看板に代えて装着されたソーラーパネル１２と、を備え、道路工事や被災地のような商用電源の確保が難しいような現場での使用に好適な可搬型モバイルカメラシステムの固定的な設置をも可能とする。【選択図】  図１
2020086156.tif 000002
【特許請求の範囲】
【請求項１】
看板用の表示板が着脱可能に支持される支持部を有する支持枠体と、
前記支持枠体の前記支持部に対して、前記表示板に代えて装着されたソーラーパネル部と、
を備えることを特徴とする電源装置。
【請求項２】
前記支持枠体は、ブロー成形された熱可塑性樹脂からなることを特徴とする請求項１に記載の電源装置。
【請求項３】
さらに、前記表示板が装着される装着部を有することを特徴とする請求項１または２に記載の電源装置。
【請求項４】
前記請求項１ないし３のいずれか１項に記載の電源装置と、
前記電源装置の前記支持枠体に取り付け固定され、前記電源装置の出力を電源として動作するカメラと、
を備えることを特徴とする撮影装置。
【請求項５】
さらに、前記ソーラーパネル部に接続された蓄電池を備えることを特徴とする請求項４に記載の撮影装置。
【請求項６】
前記請求項４または５に記載の撮影装置と、
前記撮影装置の、前記カメラの映像を監視する監視装置と、
を備えることを特徴とする撮影システム。
【請求項７】
前記カメラの映像を、ネットワークを介して遠隔地に送信する無線送信器をさらに備えることを特徴とする請求項６に記載の撮影システム。
【請求項８】
前記監視装置は、前記ネットワークを介して前記カメラの映像をライブ視聴するための端末機器であることを特徴とする請求項６または７に記載の撮影システム。
【請求項９】
前記ネットワークを介して、前記カメラの映像を記録する記録用サーバをさらに備えることを特徴とする請求項８に記載の撮影システム。
【発明の詳細な説明】
【技術分野】
【０００１】
本発明は、電源装置、撮影装置、および、撮影システムに関する。
【背景技術】
【０００２】
従来、道路工事などの現場では、金属製の枠体に金属製の表示板（看板）を打ち付けた立て看板が主に用いられていた。このため、立て看板は、工事の案内や注意を促すなどの各種の表示板ごとに用意する必要があった。
【０００３】
最近では、店頭や売り場環境に応じて広告表示体の表示態様および表示内容を可変的に差し替え可能な広告表示用什器が提案されている（例えば、特許文献１参照）。
【０００４】
上記文献１によれば、新たに作り替えたりすることなく、単一の広告表示用什器によって複数の異なる表示が可能となる。
【先行技術文献】
【特許文献】
【０００５】
【特許文献１】特開２０１４−  ３２３３３号公報
【発明の概要】
【発明が解決しようとする課題】
【０００６】
上記した文献１の表示用什器は、これまで立て看板としての利用しかされてこなかった。
【０００７】
本発明は、上記課題に鑑みてなされたもので、その目的とするところは、可搬性に優れ、看板枠を有効に利用することが可能な電源装置、撮影装置、および、撮影システムを提供することにある。
【課題を解決するための手段】
【０００８】
上記目的を達成するために、本発明の第１の形態は、
看板用の表示板が着脱可能に支持される支持部を有する支持枠体と、
前記支持枠体の前記支持部に対して、前記表示板に代えて装着されたソーラーパネル部と、
を備える電源装置である。
【０００９】
本発明の第２の形態は、
前記第１の形態に記載の電源装置と、
前記電源装置の前記支持枠体に取り付け固定され、前記電源装置の出力を電源として動作するカメラと、
を備える撮影装置である。
【００１０】
本発明の第３の形態は、
前記第２の形態に記載の撮影装置と、
前記撮影装置の、前記カメラの映像を監視する監視装置と、
を備える撮影システムである。
【００１１】
本発明の第１の形態によれば、被災地のような商用電源の確保が難しいような現場での携帯充電用電源などとしても有効に利用することが可能となる。
【００１２】
本発明の第２の形態によれば、ＷＥＢカメラなどの固定的な設置が容易に可能となる。
【００１３】
本発明の第３の形態によれば、道路工事や被災地などの現場を遠隔地よりリアルタイムに確認できる監視システムなどを簡易に実現できる。
【発明の効果】
【００１４】
本発明によれば、可搬性に優れ、看板枠を有効に利用することが可能な電源装置、撮影装置、および、撮影システムを提供できる。
【図面の簡単な説明】
【００１５】
【図１】本発明の第１の実施形態に係る看板型電源の構成を概略的に示す正面側の斜視図である。
【図２】看板型電源の構成を概略的に示す背面側の斜視図である。
【図３】看板型電源の概略をそれぞれ示すものであって、（ａ）は看板の取り外し時の状態を示す正面図であり、（ｂ）はソーラーパネルの差し替え時の状態を示す正面図である。
【図４】看板型電源の回路構成例を示すブロック図である。
【図５】本発明の第１の実施形態に係る看板型電源の他の構成例を示すものであって、（ａ）は第１面側の斜視図であり、（ｂ）は第２面側の斜視図である。
【図６】本発明の第１の実施形態に係る看板型電源のさらに別の構成例を示すものであって、（ａ）は第１面側の斜視図であり、（ｂ）は第２面側の斜視図である。
【図７】本発明の第２の実施形態に係る可搬型モバイルカメラシステムの構成を概略的に示す正面図である。
【図８】可搬型モバイルカメラシステムの構成を概略的に示す正面側の斜視図である。
【図９】可搬型モバイルカメラシステムの構成を概略的に示す背面側の斜視図である。
【図１０】可搬型モバイルカメラシステムの基本構成をそれぞれ例示するものであって、（ａ）は正面図であり、（ｂ）は背面図であり、（ｃ）は側面図である。
【図１１】可搬型モバイルカメラシステムの回路構成例を示すブロック図である。
【図１２】本発明の第３の実施形態に係る監視システムの構成例を説明する概略図である。
【発明を実施するための形態】
【００１６】
以下、本発明の実施形態について図面を参照しながら説明する。
【００１７】
［第１の実施形態］
図１および図２は、いずれも、本発明の第１の実施形態に係る立て看板型構造の電源装置（以下、看板型電源という）１０の構成例を示す外観斜視図である。なお、図１は、看板型電源１０の正面（第１面）側を示す概略図であり、図２は、看板型電源１０の背面（第２面）側を示す概略図である。
【００１８】
看板型電源１０は、図１および図２に示すように、看板枠（支持枠体）１１と、看板枠１１の凹部（支持部）１１ａに装着された、太陽光発電パネルシステムを成すソーラーパネル（ソーラーパネル部）１２と、から主に構成されている。
【００１９】
図１に示すように、ソーラーパネル１２は、多少の柔軟性を備えた、例えば単結晶シリコンパネルであって、１００Ｗ程度の発電エネルギーを電源として取り出すための電源コネクタ１２ａを有している。
【００２０】
図２に示すように、看板枠１１の背面部には、ソーラーパネル１２の電源コネクタ１２ａなどが接続されるコントロールボックス１４が設けられている（詳細については後述する）。
【００２１】
ここで、第１の実施形態に係る看板型電源１０において、看板枠１１は、本来、道路工事や被災地などの各種の現場または商業施設の店舗前などに設置される、立て看板用の看板枠として用いられるものである。
【００２２】
即ち、第１の実施形態に係る看板型電源１０は、薄い金属板などにより形成される看板が着脱可能に支持される凹部１１ａを有する看板枠１１と、その凹部１１ａに対して、看板に代えて装着されたソーラーパネル１２と、を基本構成としている。
【００２３】
看板枠１１は、縦長の短冊形状（例えば、高さが約１７００ｍｍ、幅が約６００ｍｍ、厚みが約５０ｍｍ、重さが約１０ｋｇ）を有し、略同一形状とされた凹部１１ａの周辺部分に複数の係止部１１ｂを備えている。複数の係止部１１ｂは、例えば、凹部１１ａの内側部分をそれぞれ略台形に打ち抜いてなる形状とされている。そして、この複数の係止部１１ｂによって、凹部１１ａに装着される、店舗の広告または工事の案内や注意を促すための各種の看板（看板用の表示板）１３が着脱可能に支持されるようになっている。店舗の広告用の看板としては、例えば「セール中」などがあり、また、工事の案内や注意のための看板としては、例えば「歩行者通路」や「停止位置」などがある。したがって、適宜、各種の看板１３を差し替えることにより、本来は、いろいろな立て看板を形成するための単一の看板枠として使用することが可能な構成とされている。
【００２４】
そこで、第１の実施形態に係る看板型電源１０においては、例えば図３（ａ）に示すように、各種の看板１３を引き抜いた後に、例えば図３（ｂ）に示すように、看板枠１１の凹部１１ａに対して、ソーラーパネル１２を差し込むようにして装着させる。即ち、立て看板用の看板枠１１を転用し、太陽光発電パネルシステムの枠体としても利用できるようにしている。これにより、看板型電源１０を容易に実現することが可能となる。
【００２５】
第１の実施形態に係る看板型電源１０において、看板枠１１は、例えば鉄枠と保護カバーとが一体となった、ブロー成形された熱可塑性樹脂などによって形成されている（いわゆる、ブロー製看板枠）。したがって、看板枠１１は、看板の差し替えが容易であるとともに、怪我などに対する安全性が高く、錆などの劣化を抑制できるだけでなく、耐久性、および、軽量化による設置や移動の際の可搬性に優れる。
【００２６】
なお、看板枠１１において、凹部１１ａの下方部位には前脚部１１ｄが一体形成されている。前脚部１１ｄは、例えばＨ字型の形状とされている。
【００２７】
一方、看板枠１１の背面側には、例えば金属製の後脚部１１ｅが設けられている。後脚部１１ｅは、取付部を支点として、所定の角度により開閉可能な構成とされている。設置時には、後脚部１１ｅが所定の角度により開脚された状態となる。これにより、例えば図１および図２に示したように、看板型電源１０は、看板枠１１が所定の傾斜角度により起立した状態となって、各現場において、それぞれ安定に設置される。
【００２８】
便宜上図示していないが、後脚部１１ｅに対応する看板枠１１の背面側に収納用の溝部を設け、設置しない場合に後脚部１１ｅを収納できるようにしても良い。また、後脚部１１ｅは、取り外しが容易であり、電信柱や街路灯のような支柱に取り付けて使用するような場合には省略することができる。
【００２９】
図４は、第１の実施形態に係る看板型電源１０の回路ブロックを例示するものである。
【００３０】
看板型電源１０は、例えば図４に示すように、ソーラーコントローラ１６とバッテリ（蓄電池）１７とを有したコントロールボックス１４を備えている。
【００３１】
ソーラーコントローラ１６は、電源線を介して、ソーラーパネル１２およびバッテリ１７にそれぞれ接続されている。ソーラーコントローラ１６は、ソーラーパネル１２を制御し、その出力である発電エネルギーをバッテリ１７に蓄電させる。
【００３２】
バッテリ１７は、ソーラーコントローラ１６を介して、ソーラーパネル１２の発電エネルギーを蓄電する。
【００３３】
なお、第１の実施形態に係る看板型電源１０においては、バッテリ１７は省略することもできるし、コントロールボックス１４の外部に後付け（外付け）として配置するようにしても良い。
【００３４】
また、コントロールボックス１４は、例えば看板枠１１下へ地下置きにより配置するなどの構成としても良い。
【００３５】
上述したように、第１の実施形態に係る看板型電源１０によれば、立て看板用の看板枠１１の転用により、電源装置を実現する場合にも看板枠１１を有効に利用することが可能となる。
【００３６】
即ち、立て看板用の看板枠１１に装着される各種の看板１３をソーラーパネル１２に差し替えることによって、看板枠１１を利用して看板型電源１０を容易に形成できるようにしている。これにより、看板型電源１０の可搬性を損うことなく、特に、商用電源の確保が難しい現場において、例えば、被災地などでの携帯充電用の電源や、現場の状況をモニタするカメラ用の電源などとしても、好適に使用することが可能となる。したがって、必要に応じて看板枠１１を有効に利用でき、非常用の電源などをも容易に確保できるなど、汎用性の高い電源装置とすることができる。
【００３７】
なお、看板型電源１０を回転台上などに設置し、手動、自動、または、遠隔操作によって、ソーラーパネル１２が常に太陽に向かうように制御するようにしても良い。
【００３８】
第１の実施形態に係る看板型電源１０としては、上記した構成に限らず、各種の構成を採用することができる。
【００３９】
図５は、本発明の第１の実施形態に係る看板型電源１０の他の構成例を示すものであって、図５（ａ）は第１面（例えば、正面）側の斜視図であり、図５（ｂ）は第２面（例えば、背面）側の斜視図である。
【００４０】
この看板型電源１０の場合、例えば、第１面側の看板枠１１に各種の看板１３が装着されるとともに、第２面側に同様の看板枠（図示省略）が設けられて、そこに装着されるべき看板がソーラーパネル１２に差し替えられている。
【００４１】
即ち、看板枠１１を二面（両面）看板構造とし、少なくとも第２面（または、第１面）側において、各種の看板１３に代えて、同様のソーラーパネル１２を装着可能な構成としても良い。
【００４２】
このような構成とした場合、看板枠１１を、電源装置の枠体としても有効に利用できるともに、本来の立て看板用の看板枠としても利用することができる。
【００４３】
なお、この構造において、各種の看板１３が装着される側の凹部１１ａが装着部として、ソーラーパネル１２が装着される側の凹部１１ａが支持部として、それぞれ機能する。
【００４４】
また、両面にソーラーパネル１２を装着した構成とすることもできる。
【００４５】
図６は、本発明の第１の実施形態に係る看板型電源１０のさらに別の構成例を示すものであって、図６（ａ）は第１面（例えば、正面）側の斜視図であり、図６（ｂ）は第２面（例えば、背面）側の斜視図である。
【００４６】
この看板型電源１０の場合、略同一構造とされた第１面側の看板枠１１Ｆと第２面側の看板枠１１Ｓとを有し、看板枠１１Ｆ，１１Ｓが折り畳み式の二面（両面）看板構造とされている。例えば、一方の看板枠１１Ｆには、各種の看板１３が装着され、他方の看板枠１１Ｓにおいては、装着されるべき各種の看板１３がソーラーパネル１２に差し替えられている。
【００４７】
即ち、看板枠１１Ｆ，１１Ｓの、少なくともいずれか一方に、差し替え可能とされた各種の看板１３に代えて、ソーラーパネル１２を装着する構成としても良い（ただし、コントロールボックス１４の構造や取り付けの位置を工夫する必要がある）。
【００４８】
このような構成とした場合にも、例えば、看板枠１１Ｓを電源装置の枠体として有効に利用できるとともに、看板枠１１Ｆを、本来の立て看板の看板枠として利用することができる。
【００４９】
なお、この構造において、各種の看板１３が装着される側の凹部１１ａが装着部として、ソーラーパネル１２が装着される側の凹部１１ａが支持部として、それぞれ機能する。
【００５０】
また、両面にソーラーパネル１２を装着した構成とすることもできる。
【００５１】
また、後述するＷＥＢカメラ用の電源によらず、例えば、照明機器や時計表示、電光掲示などの電源装置としても適用可能である。
【００５２】
［第２の実施形態］
次に、第１の実施形態に係る看板型電源１０の適用例について説明する。以下では、可搬型モバイルカメラシステム（撮影装置）１００に適用した場合を例に説明する。なお、可搬型モバイルカメラシステム１００において、看板型電源１０と同一の部分には同一または類似の符号を付し、詳細な説明は省略する。
【００５３】
図７ないし図１１は、本発明の第２の実施形態に係る可搬型モバイルカメラシステム１００の構成例を示すものである。例えば、図７は、可搬型モバイルカメラシステム１００の構成を概略的に示す正面図であり、図８は、正面側の斜視図であり、図９は、背面側の斜視図である。また、図１０は、可搬型モバイルカメラシステム１００の基本構成をそれぞれ例示するものであって、図１０（ａ）は正面図であり、図１０（ｂ）は背面図であり、図１０（ｃ）は側面図である。また、図１１は、可搬型モバイルカメラシステム１００の回路構成を例示するブロック図である。
【００５４】
図７ないし図９に示すように、第２の実施形態に係る可搬型モバイルカメラシステム１００は、主に、第１の実施形態に示した看板型電源１０と、看板型電源１０のソーラーパネル１２の出力を電源として動作するＷＥＢカメラ２０と、を有して構成されている。
【００５５】
ＷＥＢカメラ２０には、例えば、アクシスコミュニケーションズ社製のＡＸＩＳ Ｍ２０２５−ＬＥなどが採用されている。
【００５６】
ＷＥＢカメラ２０は、看板型電源１０の上部に取り付け固定されている。そして、看板型電源１０の背面部には、ＷＥＢカメラ２０を制御するとともに、ソーラーパネル１２の電源コネクタ１２ａなどが接続されるコントロールボックス１４が設けられている（詳細については後述する）。
【００５７】
ＷＥＢカメラ２０は、例えば図１０に示すように、リブ１１１と、クランプ１１３と、支持ポール（丸柱）１１５と、によって、看板型電源１０の看板枠１１に取り付けられている。
【００５８】
例えば、リブ１１１は、看板枠１１の背面側の上方にボルトなどにより取り付けられている。リブ１１１には、スライド（レール）部分に通されたボルトなどにより、支持ポール１１５をクランプするクランプ１１３が取り付けられている。そして、ＷＥＢカメラ２０は、支持ポール１１５の上端側に、例えばステンレスバンドなどにより取り付けられている。
【００５９】
ＷＥＢカメラ２０は、看板型電源１０とは独立して調整することができる。
【００６０】
例えば、ＷＥＢカメラ２０は、クランプ１１３を緩め、支持ポール１１５の角度を変えることによって、その向きを調整することが可能である。
【００６１】
また、ＷＥＢカメラ２０は、例えば、クランプ１１３を緩め、支持ポール１１５を上下動（垂直方向に移動）させることによって、その高さを調整することが可能である。
【００６２】
また、ＷＥＢカメラ２０は、例えば、リブ１１１上のクランプ１１３の位置をずらすことによって、その左右の位置を調整することが可能である。
【００６３】
なお、ＷＥＢカメラ２０の各調整は、手動によらず、自動または遠隔操作により行えるようにしても良い。
【００６４】
また、第２の実施形態に係る可搬型モバイルカメラシステム１００においては、図１０（ａ）中に示す矢印の方向に、各種の看板１３またはソーラーパネル１２の抜き差しが行われる。
【００６５】
図１１は、可搬型モバイルカメラシステム１００の回路ブロックを例示するものである。
【００６６】
即ち、第２の実施形態に係る可搬型モバイルカメラシステム１００は、例えば図１１に示すように、上述のソーラーパネル１２およびＷＥＢカメラ２０の他、モバイルルータ１５、ソーラーコントローラ１６、および、バッテリ（蓄電池）１７を有している。例えば、モバイルルータ１５、ソーラーコントローラ１６、および、バッテリ１７が、コントロールボックス１４内に収納されている。
【００６７】
なお、第２の実施形態に係る可搬型モバイルカメラシステム１００においては、バッテリ１７を、コントロールボックス１４の外部に後付け（外付け）として配置することも可能である。
【００６８】
また、コントロールボックス１４は、例えば看板枠１１下へ地下置きにより配置するなどの構成としても良い。
【００６９】
モバイルルータ１５は、ＰＯＥ（Power over Ethernet）スイッチを介して、ＷＥＢカメラ２０に電源を供給したり、ＷＥＢカメラ２０のカメラ映像の送信を制御したりするものであって、電源線を介して、ソーラーコントローラ１６に接続されている。
【００７０】
即ち、携帯無線を利用したモバイルルータ（無線送信器）１５によって、ＷＥＢカメラ２０からのカメラ映像を、例えば、携帯無線網やネットワーク（インターネット）を介して、遠隔地などに転送することが可能とされる。
【００７１】
上述したように、第２の実施形態に係る可搬型モバイルカメラシステム１００によれば、立て看板用の看板枠１１の看板型電源１０への転用により、商用電源の確保が難しい現場へのＷＥＢカメラ２０の固定的な設置が可能となる。
【００７２】
即ち、商用電源の確保が難しいような現場において、ＷＥＢカメラ２０を常設させることが可能となるとともに、可搬性に優れるため、撮影の場所を変更する際にも容易に対応可能である。これにより、特に、道路工事などでの作業員の安全性を確認する場合や、被災地などでの川の増水といった状況の変化を観測する場合などにおいて、昼夜を問わず、ＷＥＢカメラ２０によるカメラ撮影をすることが可能となる。したがって、これまではＷＥＢカメラ２０を固定的に設置することが難しかった現場の状況を、リアルタイムに確認できるようになる。
【００７３】
なお、可搬型モバイルカメラシステム１００に適用される看板型電源１０としては、例えば、図５または図６に示した構造のものを採用することも可能である。ただし、図６に示した構造のものを採用する場合、ＷＥＢカメラ２０の取り付けの位置を側面部にするなどの工夫が必要となる。
【００７４】
［第３の実施形態］
次に、第２の実施形態に係る可搬型モバイルカメラシステム１００の適用例について説明する。以下では、監視システム（撮影システム）に適用した場合を例に説明する。なお、監視システムにおいて、可搬型モバイルカメラシステム１００と同一の部分には同一または類似の符号を付し、詳細な説明は省略する。
【００７５】
図１２は、本発明の第３の実施形態に係る監視システムの構成例を示すものである。
【００７６】
監視システムは、例えば図１２に示すように、可搬型モバイルカメラシステム１００と、携帯無線網を介して接続されるインターネット３０と、インターネット３０に接続された端末機器４０およびクラウドサーバ５０と、を有して構成されている。
【００７７】
端末機器４０は、例えば遠隔地において、ＷＥＢカメラ２０のカメラ映像をライブ視聴するための監視装置であって、パーソナルコンピュータ（ＰＣ）などによって構成されている。
【００７８】
クラウドサーバ５０は、例えば遠隔地において、ＷＥＢカメラ２０のカメラ映像を録画視聴するための記録用サーバであって、ＷＥＢカメラ２０の多量のカメラ映像を保存できるように構成されている。
【００７９】
クラウドサーバ５０に保存されたカメラ映像は、適宜、インターネット３０を介して、端末機器４０で視聴できる。
【００８０】
上述したように、第３の実施形態に係る監視システムによれば、遠隔地において、ＷＥＢカメラ２０のカメラ映像をリアルタイムに監視できるようになる。
【００８１】
即ち、商用電源を必要とすることなしに、現場の状況を確認できるようになる。これにより、特に、道路工事などでの作業員の安全性や、被災地などでの川の増水といった状況の変化を、昼夜を問わず、遠隔地にて監視することが可能となる。したがって、商用電源の確保が難しい現場であっても、現場の状況をリアルタイムに監視できる。
【００８２】
なお、この監視システムにおいては、複数の可搬型モバイルカメラシステム１００の各ＷＥＢカメラ２０のカメラ映像を同時に監視することも可能である。
【００８３】
また、降雪、あられ、ゲリラ豪雨、冠水、雪崩、潮位（海面水位）などや開花または紅葉などの時期といった気象もしくは自然現象、あるいは、人出、渋滞、駐車場の混雑状況などを、リアルタイムに監視するための各種の監視システムとしても適用できる。
【００８４】
また、監視システムによらず、例えば、店舗の来客数や商品の売れ行きなどといった状況を、リアルタイムに確認するための各種の撮影システムにも適用できる。
【符号の説明】
【００８５】
１０  看板型電源
１１  看板枠
１１ａ  凹部
１１ｂ  係止部
１２  ソーラーパネル
１３  各種の看板
１４  コントロールボックス
１５  モバイルルータ
１６  ソーラーコントローラ
１７  バッテリ
２０  ＷＥＢカメラ
３０  インターネット
４０  端末機器
５０  クラウドサーバ
１００  可搬型モバイルカメラシステム
【図１】
2020086156.tif 000003
【図２】
2020086156.tif 000004
【図３】
2020086156.tif 000005
【図４】
2020086156.tif 000006
【図５】
2020086156.tif 000007
【図６】
2020086156.tif 000008
【図７】
2020086156.tif 000009
【図８】
2020086156.tif 000010
【図９】
2020086156.tif 000011
【図１０】
2020086156.tif 000012
【図１１】
2020086156.tif 000013
【図１２】
2020086156.tif 000014